(57)【特許請求の範囲】
【請求項１】
外出時に必要な情報であって、その時の状況に応じた情報を取得する情報取得手段と、
前記情報取得手段により取得した情報をユーザに報知する報知手段と、
を備え、
前記情報取得手段が、建物内外の安全情報を取得する手段と、建物外の外部環境情報を取得する手段と、外出先についての交通情報を取得する手段とを有する情報提供装置であって、
前記安全情報に基づいて安全状況を判定する手段と、
前記外部環境情報に基づいて外部環境を判定する手段と、
前記交通情報に基づいて交通状況を判定する手段と、
前記安全状況、前記外部環境及び前記交通状況の中から少なくとも１つを選択する第１選択手段と、
前記ユーザの外出態様を複数種から選択する第２選択手段と、
を備え、
前記報知手段は、
前記ユーザにより前記第１選択手段に対する選択操作が行われた場合に、該第１選択手段により選択された判定結果を報知する第１報知手段と、
前記ユーザにより前記第２選択手段に対する選択操作が行われた場合に、該第２選択手段により選択された外出態様に合わせて、前記第１選択手段により選択可能な各判定結果のうちあらかじめ定められた複数の判定結果を複合させて報知する第２報知手段と、
を備えることを特徴とする情報提供装置。
【請求項２】
前記情報取得手段が、さらに、前記ユーザの健康情報を取得する手段を有する情報提供装置であって、
前記健康情報に基づいて健康状態を判定する手段を備え、
前記第１選択手段は、前記安全状況、前記外部環境、前記交通状況に加えて、前記健康状態の中から少なくとも１つを選択可能であり、
前記第２選択手段は、前記外出態様を複数種から選択することに加えて、前記健康状態の判定結果を報知させるか否かを選択することが可能であり、
前記第２報知手段は、前記第２選択手段により前記健康状態の判定結果を報知させることが選択された場合に、前記第１選択手段により選択可能な各手段のうち、前記安全状況を含む複数の判定結果を複合させて報知することを特徴とする請求項１に記載の情報提供装置。
【請求項３】
前記第２選択手段が選択可能な複数種の前記外出態様には、通勤、通学のための通い外出と、旅行、レジャーのための余暇外出と、近所への外出とが含まれており、
前記第２報知手段は、前記第２選択手段により前記通い外出及び前記余暇外出の少なくとも一方が選択された場合に、前記第１選択手段により選択可能な全ての判定結果を複合させて報知し、前記第２選択手段により前記近所への外出が選択された場合に、前記安全状況及び前記外部環境の各判定結果を複合させて報知することを特徴とする請求項１又は２に記載の情報提供装置。
【請求項４】
前記安全情報を取得する手段は、建物内外に設置された防犯カメラと、建物開口部の施錠状態を検出するセンサとを有しており、
前記外部環境情報は、日射量、紫外線指数、花粉の飛散量、洗濯指数を含み、
前記交通情報は、事故の発生の有無、道路工事の有無、渋滞状況を含み、
前記第２報知手段は、少なくとも前記安全状況及び前記外部環境の各判定結果を複合させて報知することを特徴とする請求項１乃至３のいずれか１つに記載の情報提供装置。
【請求項５】
前記第１報知手段及び前記第２報知手段は、建物内の洗面室、洗面台及び玄関の姿見鏡のいずれか１つにおいて鏡面に報知画面を表示するものであり、
前記第１選択手段及び前記第２選択手段は、いずれも前記鏡面に設けられたスイッチであることを特徴とする請求項１乃至４のいずれか１つに記載の情報提供装置。
【発明の詳細な説明】
【技術分野】
【０００１】
本発明は、情報をユーザに報知する情報提供装置に関する。
【背景技術】
【０００２】
特許文献１に記載の情報提供装置では、ユーザが所有する物品にＩＣタグを取り付けておき、外出時に携帯すべき物品を予め登録しておく。そして、ユーザが外出する時には、ユーザが携帯している物品のＩＣタグと通信を行うことで実際に携帯している物品を認識し、認識した物品と登録した物品とを比較して忘れ物があるか否かを判定し、忘れ物がある場合にはその旨をユーザーに報知するものである。
【特許文献１】特開２００５−１３４９９１号公報
【発明の開示】
【発明が解決しようとする課題】
【０００３】
しかしながら、予め登録した物品を外出時に全て携帯している（忘れ物がない）か否かの情報だけでは、外出時にユーザが必要とする情報としては不十分である。すなわち、外出時に必要な情報の内容として、その時の状況に応じた情報（例えば、ユーザのその時の健康状態や外出先までの交通状況、自宅の戸締まり状況等）を報知することが次世代の情報提供装置として期待されている。
【０００４】
本発明は、外出時にユーザが必要とする情報を報知するにあたり、利便性の高い情報の報知を図った情報提供装置を提供することを主たる目的とするものである。
【課題を解決するための手段】
【０００５】
本発明は、上記課題を解決するために、以下の手段を採用した。
【０００６】
すなわち、第１の発明では、外出時に必要な情報であって、その時の状況に応じた情報を取得する情報取得手段と、前記情報取得手段により取得した情報をユーザに報知する報知手段と、を備えることを特徴とする。そのため、外出時に必要な情報であって、その時の状況に応じた情報をユーザに報知でき、利便性の高い情報をユーザに報知できる。
【０００７】
第２の発明では、前記報知手段は、建物内の洗面室、洗面台及び玄関の姿見鏡のいずれか１つに設けられていることを特徴とする。これらの洗面室、洗面台及び玄関の姿見鏡は、いずれも外出直前に利用する頻度の高いものであるため、そのような利用頻度の高いものに報知手段を設ければ、外出時にユーザが情報提供装置から情報を取得する手間を軽減することができる。例えば、報知手段が情報を表示するモニタ装置である場合には、洗面室、洗面台及び姿見鏡等を使用しながらモニタ装置を見ることができ、ユーザの手間を軽減できる。よって、外出前の貴重な時間を有効利用できる。
【０００８】
第３の発明では、前記情報取得手段の取得対象となる情報は、予め登録された個人別のリクエスト項目に応じて更新された最新情報であることを特徴とする。そのため、個人に応じて必要な最新情報のみを、朝一番に取得できるので、外出前の貴重な時間を有効利用できる。
【０００９】
第４の発明では、前記情報取得手段の取得対象となる情報には、ユーザの健康に関する健康情報が含まれていることを特徴とする。具体的には、第５の発明において、前記健康情報には、現在の健康状態と環境情報に基づく健康アドバイス、及び服用すべき薬の少なくとも１つに関する情報が含まれていることを特徴とする。そのため、例えば外出先で体調を崩すことを予防できる、といった効果が奏される。
【００１０】
第６の発明では、前記情報取得手段の取得対象となる情報には、外出先に向けて移動する際の移動時間に関する移動時間情報が含まれていることを特徴とする。具体的には、第７の発明において、前記移動時間情報には、ネットワークを通じて取得した事故及びイベントの少なくとも１つに関する情報が含まれていることを特徴とする。そのため、例えば予め渋滞情報を把握することで出発時間を調整できる、といった効果が奏される。
【００１１】
第８の発明では、個人スケジュールが記憶された記憶手段を備え、前記報知手段は、前記個人スケジュールの内容に応じた情報を報知することを特徴とするので、ユーザに報知する外出時に必要な情報の内容を、より一層利便性の高い内容にできる。
【００１２】
第９の発明では、前記個人スケジュールには、外出時に利用する交通手段が情報として含まれており、前記報知手段は、前記交通手段に応じた情報を報知することを特徴とする。具体的には、第１０の発明において、前記交通手段が乗用車であると前記記憶手段に記憶されている場合には、乗用車に関する交通情報を前記報知手段は報知することを特徴とし、第１１の発明では、健康状態が乗用車の運転に適しないと判断した場合には、電車の利用を勧めるよう前記報知手段は報知することを特徴とする。また、第１２の発明では、前記交通手段が電車であると前記記憶手段に記憶されている場合には、電車に関する交通情報を前記報知手段は報知することを特徴とする。これら第９〜１２の発明によれば、ユーザに報知する外出時に必要な情報の内容を、より一層利便性の高い内容にできる。
【発明を実施するための最良の形態】
【００１３】
以下、本発明を具体化した一実施形態を図面に基づいて説明する。
【００１４】
［第１の実施形態］
図１に示すように、本実施形態に係る情報提供装置は、ＬＡＮ等によるホームネットワーク１０を構築するホームサーバ１１が設置された住宅を対象としている。この情報提供装置は、ホームネットワーク１０と通信可能なコンピュータ１２（情報取得手段）及びモニタ装置１３（報知手段）を備えている。
【００１５】
コンピュータ１２は、マイクロコンピュータ及び送受信機等を有して構成されており、ユーザ（住人）に携帯されているスマートキーＫと通信可能である。なお、スマートキーＫにはＥＥＰＲＯＭ等の書き換え可能メモリが内蔵されており、ユーザを特定する個人識別情報（ＩＤ情報）が記憶されている。一方、ホームサーバ１１には住人全てのＩＤ情報が予め登録されており、スマートキーＫから送信されたＩＤ情報を受信すると、受信したＩＤ情報が登録されているＩＤ情報と一致するか否か、ホームサーバ１１にて照合される。照合の結果、登録ＩＤと一致すると認証された場合には、玄関ドアの自動施解錠等、各機器の作動を許可する。
【００１６】
コンピュータ１２の送受信機（図示せず）は玄関に設置されており、玄関に住人が入ってくると、その住人の携帯しているスマートキーＫからのＩＤ情報を受信し、ホームサーバにて認証されるとその住人に応じた表示内容（詳細は後述する）がモニタ装置１３に表示される。なお、モニタ装置１３の表示内容は玄関に設置された姿見鏡１３ａの中に表示されるよう構成されており、住人が外出時に姿見鏡１３ａを覗き込むと、自身の姿とともに各種表示態様Ｄ１,Ｄ２,Ｄ３を見ることとなる。
【００１７】
モニタ装置１３はカメラ１４及び各種センサ１５を備えており、カメラ１４は、表示態様Ｄ１を見ている住人の顔等を画像データとしてコンピュータ１２に送信する。コンピュータ１２は、カメラ１４及び各種センサ１５からの情報や、ホームサーバ１１が取得している情報の中から、照合された住人が外出時に必要とする情報であって、その時の状況に応じた情報を選択して表示（報知）する。
【００１８】
次に、このような「外出時に必要な情報であって、その時の状況に応じた情報」の内容について説明する。
【００１９】
モニタ装置１３はタッチパネル式のスイッチＭ１,Ｍ２,Ｍ３,Ｍ４を有しており、これらのスイッチＭ１〜Ｍ４によりメニュー画面を構成している。スイッチＭ１は、住人の健康に関する健康情報を報知するとともに健康管理を行うメニュースイッチである。スイッチＭ２は、住宅内外の安全確認に関する安全情報を報知するとともに安全管理を行うメニュースイッチである。スイッチＭ３は、外出時に準備すべき物に関する持ち物情報を報知するメニュースイッチである。スイッチＭ４は、外出先までの交通情報を報知するメニュースイッチである。
【００２０】
また、モニタ装置１３はタッチパネル式のスイッチＭａ,Ｍｂ,Ｍｃ,Ｍｄを有しており、これらのスイッチＭａ〜Ｍｄにより用途別メニューを構成している。スイッチＭａは簡易検診を行うためのメニュースイッチであり、２つのスイッチＭ１，Ｍ２を操作した場合における各々の報知等を同様に行う。スイッチＭｂは通学、通勤時に操作するメニュースイッチであり、３つのスイッチＭ２，Ｍ３，Ｍ４を操作した場合における各々の報知等を同様に行う。スイッチＭｃは旅行、レジャーに外出する時に操作するメニュースイッチであり、３つのスイッチＭ２，Ｍ３，Ｍ４を操作した場合における各々の報知等を同様に行う。スイッチＭｄは近所に外出する時に操作するメニュースイッチであり、２つのスイッチＭ２，Ｍ３を操作した場合における各々の報知等を同様に行う。
【００２１】
図２（ａ）は、メニュースイッチＭ１を操作した時の動作手順を示す図であり、スイッチＭ１を操作して健康メニューを起動させると、カメラ１４及び各種センサ１５による視察、及び健康に関するデータの変化による検診が実行される（Ｓ１１）。上記視察及び検診では、体重、体温の測定及び顔色、視力、検歯等を行う。また、呼気検査及び尿検査の結果からアルコール度検知を行う。次に、コンピュータ１２又はホームサーバ１１は、視察検診結果を住人別に記録するとともに、当該結果を各種データ処理して健康データの変移等を毎日管理する（Ｓ１２）。
【００２２】
上記データ処理結果は、モニタ装置１３にて表示及び音声により報知される。さらにモニタ装置１３は、視察検診結果に基づく住人別の健康アドバイスを表示及び音声により報知する（Ｓ１３）。例えば、データ処理結果のうち以下の項目に基づき報知することが具体例として挙げられる。なお、図１中の表示態様Ｄ１は、以下の項目等の表示態様を例示している。
【００２３】
・温度センサ１５の検出結果をデータ処理して得られた体温変移に基づき、次の報知を行う。「Ａさん、微熱がありそうです。検温して下さい。」
・計測センサ１５の検出結果をデータ処理して得られた体重変移に基づき、次の報知を行う。「Ａさん、ＢＭＩ値が平均を超えています。対策をして下さい。」
・視力測定結果をデータ処理して得られた視力変移に基づき、次の報知を行う。「Ａさん、視力が落ちています。検診して下さい。」
・マイクロカメラ１５の測定結果をデータ処理して得られた健康肌測定値に基づき、次の報知を行う。「Ａさん、肌があれています。睡眠をよくとりましょう。」
・カメラ１４の画像結果に基づき、次の報知を行う。「Ａさん、寝癖があります。」
図２（ｂ）は、メニュースイッチＭ２を操作した時の動作手順を示す図であり、スイッチＭ２を操作して安全メニューを起動させると、コンピュータ１２は、宅内外に設置された防犯カメラ及び各種防犯センサ１５により取得されている情報を読み取る（Ｓ２１）。上記防犯センサ１５には、窓やドアが施錠されているか否かを検出するセンサが含まれている。また、外出にともない、防犯対策を中心に宅内外を常時監視する夜間留守モードとなるよう、防犯カメラ及び各種防犯センサ１５の作動状態を切り替える（Ｓ２２）。
【００２４】
次に、夜間留守モードの起動時刻等をタイマ設定する。或いは、タイマ設定するよう住人に促す。また、上記防犯センサ１５の検出結果として、施錠等が不十分であり危険であると判定された場所を、モニタ装置１３にて表示及び音声により報知する（Ｓ２３）。例えば、防犯センサ１５の検出結果のうち以下の項目に基づき報知することが具体例として挙げられる。
【００２５】
・施錠情報として次の報知を行う。「Ａさん、２階トイレのドアが開いています。戸締りして下さい。」
・外出時には、防犯カメラ及び防犯センサ１５が夜間留守モードでの運転に自動的に切り替わり、このような消灯情報として次の報知を行う。「夜間留守モードで運転します。」
・消火情報として次の報知を行う。「Ａさん、ガスコンロの火が点いています。火を消してしてください。」
図２（ｃ）は、メニュースイッチＭ３を操作した時の動作手順を示す図であり、スイッチＭ３を操作して持ち物情報メニューを起動させると、コンピュータ１２は、ホームサーバ１１が有する外部情報（例えば日射、紫外線、花粉、天気、洗濯指数等の情報）を、ホームネットワークを介して取得する（Ｓ３１）。次に、コンピュータ１２は、個人の健康管理データを分析し、取得した外部情報を評価判断する（Ｓ３２）。
【００２６】
次に、分析結果を、モニタ装置１３にて表示及び音声により個人別に適宜アドバイスする（Ｓ３３）。例えば、分析結果のうち以下の項目に基づき報知することが具体例として挙げられる。なお、図１中の表示態様Ｄ２は、以下の項目等の表示態様を例示しており、紫外線指数ＳＰＦ、天気、最高気温等を表示している。
【００２７】
・日射情報及び健康管理データに基づき例えば次のアドバイスを行う。「Ａさん、帽子とタオルを持ちましたか。」
・紫外線情報及び健康管理データに基づき例えば次のアドバイスを行う。「Ａさん、紫外線対策をして下さい。」
・花粉情報及び健康管理データに基づき例えば次のアドバイスを行う。「Ａさん、花粉マスクが必要です。」
・天気、洗濯指数及び健康管理データに基づき例えば次のアドバイスを行う。「Ａさん、傘が必要です。洗濯物を取り込みましたか。」
図２（ｄ）は、メニュースイッチＭ４を操作した時の動作手順を示す図であり、スイッチＭ４を操作して交通情報メニューを起動させると、コンピュータ１２は、ホームサーバ１１が有する外部情報（例えば事故、渋滞、ドライブ立ち寄りマップ、グルメ、温泉等の情報）を、ホームネットワークを介して取得する（Ｓ４１）。次に、コンピュータ１２は、優先検索条件（例えば食事、文化、景観等のいずれのカテゴリーを優先して検索するかの条件）を選択する。或いは選択するよう促す（Ｓ４２）。
【００２８】
次に、検索結果を、モニタ装置１３にて表示及び音声により個人別に適宜案内するとともに、車載ナビゲーション装置や携帯電話等に検索結果を登録する（Ｓ４３）。例えば、以下の項目を案内することが具体例として挙げられる。なお、図１中の表示態様Ｄ３は、以下の項目等の表示態様を例示しており、外出先までのルートマップを表示している。
【００２９】
・外部情報（渋滞情報）及び外出先（目的地）に基づき例えば次の案内を行う。「Ａさん、本日集中工事の為、早めにお出かけ下さい。」
・外部情報（観光情報）及び外出先（目的地）に基づき例えば次の案内を行う。「Ａさん、軽井沢のお勧め美術館リストです。ナビへ転送します。」
以上により、本実施形態によれば、モニタ装置１３の表示内容は姿見鏡１３ａの中に表示されるよう構成されており、住人が外出時に姿見鏡１３ａを覗き込むだけで視察及び検診が実施され、その結果をデータ処理して健康データの変移等を毎日管理する。また、視察検診結果に基づく住人別の健康アドバイスを表示及び音声により報知する。よって、姿見鏡１３ａを毎日覗くだけで健康データとして管理ができ、健康維持に繋がる。
【００３０】
また、防犯センサ１５の検出結果として、施錠等が不十分であり危険であると判定された場所を、モニタ装置１３にて表示及び音声により報知するので、玄関先で外出時、忘れずに宅内安全を瞬時に確認できる。
【００３１】
また、天気等の外部情報と健康管理データとを分析した結果を、モニタ装置１３にて表示及び音声により報知するので、リアルタイムに的確に情報入手でき、情報を受けた住人が、玄関収納より外出時に必要な持ち物を取り出すこともできる。
【００３２】
また、外出先及びカテゴリー別に応じて検索された渋滞、事故等の外部情報をモニタ装置１３にて表示及び音声により個人別に適宜案内するので、個人のお出かけニーズに応じた交通情報、行き先の情報が入手できる。
【００３３】
［第２の実施形態］
上記第１の実施形態では、外出先目的別にメニュースイッチＭ１〜Ｍ４を住人が操作する必要があるのに対し、本実施形態では、個人スケジュールをコンピュータ１２又はホームサーバ１１に予め記憶させておき、記憶された個人スケジュールの内容に応じた情報をモニタ装置１３にて表示及び音声により報知する。
【００３４】
図３は、住人が起床してから外出するまでの一連の動作手順を示す図であり、まず住人が起床して外出準備がなされ（Ｓ５１）、その後、住人が外出しようとして玄関に設置されたモニタ装置１３に近づくと、ＩＤ認証により住人が外出しようとしていることをモニタ装置１３は検知し、報知作動を開始する（Ｓ５２）。
【００３５】
次に、前記個人スケジュールの内容とは無関係に簡易検診を実行する。当該簡易検診は、メニュースイッチＭ１が操作された場合と同様に視察及び検診が実施される（Ｓ５３）。また、個人スケジュールの内容とは無関係に防犯センサ１５の検出結果の報知を行う。当該報知の内容は、メニュースイッチＭ２が操作された場合と同様である。次に、その視察検診結果を健康データとしてホームサーバ１１にて管理する（Ｓ５４）。次に、視察検診結果に基づく住人別の健康アドバイスを、先述の個人スケジュールの内容に応じて行う。
【００３６】
例えば、個人スケジュールの内容が乗用車で外出する予定になっている場合において、前述の呼気検査及び尿検査の結果から検知されたアルコール度に応じて、アルコール度が所定値以下であれば乗用車の運転を許可する判定を行いその判定結果を報知する（Ｓ５５）。一方、アルコール度が所定値より高ければ、その判定結果を報知するとともに乗用車の運転を避けることを促す報知を行う（Ｓ５６）。また、前述の簡易検診結果に異常が検出された場合には、通院を促すよう報知する。
【００３７】
また、個人スケジュールの内容が「通勤」の場合には、最新の出発ガイドを報知する。例えば、乗用車で通勤の場合には到着時間を入力することで出発時刻を通知する。この通知内容は、車載ナビゲーション装置に転送するようにしてもよい。また、電車で通勤の場合にはダイヤ、座席指定の状況を案内する。この案内内容は、携帯電話に転送するようにしてもよい。
【００３８】
また、例えば、個人スケジュールの内容が「レジャーにお出かけ」である場合には、ホームサーバ１１からの情報（個人の嗜好性等）に基づきレジャー案内を行う。また、例えば、個人スケジュールの内容が「通院」である場合には、病状により最適な通院先を案内する。また、その時の病状を示す検診データをホームドクターへ転送するようにしてもよい。
【００３９】
［他の実施形態］
本発明は以上説明した実施の形態に限らず、例えば以下に別例として示した形態で実施することもできる。そして、以下に説明する各実施形態の特徴的制御内容及び構成をそれぞれ任意に組み合わせるようにしてもよい。
【００４０】
・上記各実施形態では、モニタ装置１３の表示内容は玄関に設置された姿見鏡１３ａに表示させているが、洗面室や洗面台の姿見鏡に表示させるようにしてもよいし、姿見鏡とは別の表示画面にて表示させるようにしてもよい。
【図面の簡単な説明】
【００４１】
【図１】本発明の第１の実施形態に係る情報提供装置を示す模式図。
【図２】図１の情報提供装置を利用する際の動作手順を示す図。
【図３】本発明の第２の実施形態に係る情報提供装置を利用する際の動作手順を示す図。
【符号の説明】
【００４２】
１１…ホームサーバ、１２…コンピュータ（情報取得手段）、１３…モニタ装置（報知手段）。
【図１】
0004909243.tif 000002
【図２】
0004909243.tif 000003
【図３】
0004909243.tif 000004